(57)【要約】【課題】  入力手段が操作者の指の動きを検知して入力を行うことにより、操作者の自由度を向上させ、操作性の高い携帯端末用入力装置を提供することにある。【解決手段】    携帯電話やデジタルオーディオ端末等の携帯端末に接続して使用する携帯端末用入力装置において、携帯端末の端子と接続する接続端子と、操作者の指の動きを検知して入力を行う入力手段と、入力手段で検知した操作情報を、携帯端末で認識可能な情報に変換するインタフェース手段とを備えることを特徴とする。【選択図】図１
2011192028.tif 000002
【特許請求の範囲】
【請求項１】
携帯電話やデジタルオーディオ端末等の携帯端末に接続して使用する携帯端末用入力装置において、
該携帯端末の端子と接続する接続端子と、
操作者の指の動きを検知して入力を行う入力手段と、
該入力手段で検知した操作情報を、該携帯端末で認識可能な情報に変換するインタフェース手段とを備えることを特徴とする携帯端末用入力装置。
【請求項２】
前記入力手段が、空間での指の動きを検知する非接触式であることを特徴とする請求項１記載の携帯端末用入力装置。
【請求項３】
前記入力手段が、指が手の甲の面より上がった場合に入力を検知することを特徴とする請求項１又は請求項２記載の携帯端末用入力装置。
【発明の詳細な説明】
【技術分野】
【０００１】
本発明は、携帯端末に接続して使用する携帯端末用入力装置に関する。
【背景技術】
【０００２】
従来より、携帯電話やデジタルオーディオ端末等の携帯端末に接続して使用する携帯端末用入力装置はいくつか提案されている。例えば、特許文献１に示すものは、タッチ入力式のものである。このタッチ入力装置は、タッチ面に突部を形成することで接触感が異なる入力区域を作り、入力区域に爪が接触すると操作者がクリック感を感じることができるものである。
【先行技術文献】
【特許文献】
【０００３】
【特許文献１】特開２００２−１６９６５３号公報
【発明の概要】
【発明が解決しようとする課題】
【０００４】
しかしながら、従来の入力装置では、操作者がスイッチなりにタッチして入力を行うもので、入力装置に入力を認識させる構成となっており、操作者が入力装置に見合う操作を行う必要があり操作者の自由度が極めて低く、入力がしにくい。
【０００５】
本発明は、このような事情に鑑みてなされたもので、入力手段が操作者の指の動きを検知して入力を行うことにより、操作者の自由度を向上させ、操作性の高い携帯端末用入力装置を提供することにある。
【課題を解決するための手段】
【０００６】
請求項１記載の携帯端末用入力装置は、携帯端末の端子と接続する接続端子と、操作者の指の動きを検知して入力を行う入力手段と、入力手段で検知した操作情報を、携帯端末で認識可能な情報に変換するインタフェース手段とを備えることを特徴とする。
【０００７】
請求項２記載の携帯端末用入力装置は、入力手段が、空間での指の動きを検知する非接触式であることを特徴とする。
【０００８】
請求項３記載の携帯端末用入力装置は、入力手段が、指が手の甲の面より上がった場合に入力を検知することを特徴とする。
【発明の効果】
【０００９】
請求項１の発明によれば、入力手段が操作者の指の動きを検知して入力を行うことから、操作者の自由度を向上させ、操作性を高くすることができる。
【００１０】
請求項２の発明によれば、入力手段が、空間での指の動きを検知する非接触式であることから、指先に力の入らない操作者であっても操作しやすく、より操作者の自由度を向上させ、操作性を高くすることができる。
【００１１】
請求項３の発明によれば、入力手段が、指が手の甲の面より上がった場合に入力を検知することから、指を甲の面より上に上げるという特別な指の動きでのみ入力が可能で、入力の誤認識を回避することができる。
【図面の簡単な説明】
【００１２】
【図１】本発明に係る第１の実施例の携帯端末用入力装置の使用状態を示す上面図である。
【図２】同第１の実施例の携帯端末用入力装置の使用状態を示す側面図である。
【図３】同第１の実施例の携帯端末用入力装置の構成を示す構成図である。
【図４】本発明に係る第２の実施例の携帯端末用入力装置の使用状態を示す上面図である。
【図５】同第２の実施例の携帯端末用入力装置の使用状態を示す側面図である。
【発明を実施するための形態】
【００１３】
本発明の形態における携帯端末用入力装置は、携帯電話やデジタルオーディオ端末等の携帯端末に接続して使用する入力手段である。
【実施例１】
【００１４】
図１は、本発明に係る第１の実施例の携帯端末用入力装置の使用状態を示す上面図である。図２は、同第１の実施例の携帯端末用入力装置の使用状態を示す側面図である。図３は、同第１の実施例の携帯端末用入力装置の構成を示す構成図である。
【００１５】
本実施例１における携帯端末用入力装置１は、図に示すように、携帯端末４と接続する接続端子１２と、操作者の指Ｆの動きを検知して入力を行う入力手段であるセンサ１４と、センサ１４で検知した操作情報を、携帯端末４で認識可能な情報に変換するインタフェース手段１６（図では、Ｉ／Ｆと表示）とを備える。
【００１６】
まず、携帯端末用入力装置１を接続する携帯端末４は、図では、携帯電話を示しているが、携帯電話の他、デジタルオーディオ端末やパソコンなど、入力が必要な電子機器全般で、アナログ機器でもデジタル機器でもかまわない。図に示す携帯電話である携帯端末４は、制御手段であるＣＰＵ４０を内部に有し、そのＣＰＵ４０に対し、入力手段であるキー４２と、表示手段であるディスプレイ４４と、携帯端末４を外部の機器と接続する場合の信号形式や信号レベルを調整するインタフェース手段４６（図では、Ｉ／Ｆと表現）と、インタフェース手段４６と外部の機器とを直接接続する接続端子４８とを備えている。尚、本実施例１の携帯端末４は、手Ｈに装着可能なもので、携帯端末４の側面にバンド８が設けられ、図に示すように二の腕に携帯端末４を装着可能となっている。
【００１７】
本実施例１の携帯端末用入力装置１は、携帯端末４の接続端子４８と接続する接続端子１２と、センサ１４と携帯端末４との間の信号形式や信号レベルを調整するインタフェース手段１６（図では、Ｉ／Ｆと表現）と、非接触型の入力手段であるセンサ１４とが接続されている。センサ１４は、接続端子１２を介して携帯端末４に接続された状態で、携帯端末４より突出する位置に配置されるようになっており、携帯端末４を手Ｈに固定した状態で、センサ１４が、手Ｈの甲Ｂに乗るような位置に配置される構造になっている。そして、センサ１４は、指Ｆの動きを検知することになる。具体的には、センサ１４は、光センサなどの非接触素子が複数個内蔵されており、図２に示すように、例えば指Ｆが甲Ｂより上に上がったのを検知して、ＯＮやＯＦＦと認識する。センサ１４で認識された入力情報は、インタフェース手段１６及び接続端子１２を介して、携帯端末４に入力される。
【００１８】
このように、本実施例の携帯端末用入力装置１によれば、入力手段であるセンサ１４が操作者の指Ｆの動きを検知して入力を行うことから、操作者の自由度を向上させ、操作性を高くすることができる。また、入力手段が、空間での指Ｆの動きを検知する非接触式であることから、指先に力の入らない操作者であっても操作しやすく、より操作者の自由度を向上させ、操作性を高くすることができる。
【００１９】
尚、指Ｆの動きの検知方法としてはいろいろ考えられるが、本実施例の携帯端末用入力装置１では、センサ１４が、指Ｆが手Ｈの甲Ｂの面より上がった場合に入力を検知することから、指Ｆを甲Ｂの面より上に上げるという特別な指Ｆの動きでのみ入力が可能で、入力の誤認識を回避することができる。
【実施例２】
【００２０】
実施例１では、センサ１４が指Ｆの動きを直接的に検知するものであったが、そのようなセンサに限られず、例えば、指Ｆによって遮断検知型のセンサによって入力を行うようにしてもよい。この例が本実施例である。図４は、本発明に係る第２の実施例の携帯端末用入力装置の使用状態を示す上面図である。図５は、同第２の実施例の携帯端末用入力装置の使用状態を示す側面図である。
【００２１】
本実施例２における携帯端末用入力装置２は、図に示すように、携帯端末４と接続する接続端子２２と、操作者の指Ｆの動きを検知して入力を行う入力手段であるセンサ２４と、センサ２４で検知した操作情報を、携帯端末４で認識可能な情報に変換するインタフェース手段（図示せず）とを備える。尚、携帯端末４は、実施例１の場合と同様である。
【００２２】
センサ２４は、コ字状で、両側の突起部分にそれぞれに対向する形で、遮断検知型のセンサが組み込まれている。そして、いずれかの指Ｆが、このコ字状の中に入ると、遮断検知が働いて、入力を認識することになる。尚、どの位置で遮断されたのかにより、どの指Ｆでの入力かを認識し、複数の情報入力も可能となる。
【００２３】
尚、実施例１及び実施例２では、センサ１４，２４として非接触型のもので説明しているが、非接触に限られるものではなく、指Ｆのいずれかの部分がセンサ１４，２４に接触すると入力を受け付けるようにしてもよい。但し、指Ｆの動きの自由度を勘案すると、非接触型が望ましい。さらに、上記説明では、センサ１４，２４で、ＯＮあるいはＯＦＦを入力するように説明しているが、単なるＯＮ／ＯＦＦだけではなく、例えば指Ｆの位置をアナログ的な数値で取り込むようにしてもよい。
【００２４】
また、実施例１及び実施例２では、手Ｈに装着する携帯端末４で説明をしているが、必ずしも手Ｈに装着する携帯端末に限られるものではない。例えば、携帯端末用入力装置１，２にバンドを設けて手Ｈに固定し、接続端子１２，２２には、ケーブルを接続し、そのケーブルの他端をポケットに入れた携帯端末の接続端子に接続するなど、接続形態は任意である。さらに、ケーブルによる接続ではなく、無線接続により携帯端末用入力装置１，２と携帯端末４とを接続するようにしてもよい。
【産業上の利用可能性】
【００２５】
以上のように、本発明によれば、入力手段が操作者の指の動きを検知して入力を行うことにより、操作者の自由度を向上させ、操作性の高い携帯端末用入力装置を提供することができる。
【符号の説明】
【００２６】
１・・・・携帯端末用入力装置
２・・・・携帯端末用入力装置
４・・・・携帯端末
８・・・・バンド
１２・・・接続端子
１４・・・センサ
１６・・・インタフェース手段
２２・・・接続端子
２４・・・センサ
４０・・・ＣＰＵ
４２・・・キー
４４・・・ディスプレイ
４６・・・インタフェース手段
４８・・・接続端子
【図１】
2011192028.tif 000003
【図２】
2011192028.tif 000004
【図３】
2011192028.tif 000005
【図４】
2011192028.tif 000006
【図５】
2011192028.tif 000007